(57)【要約】【課題】非構造化文書などを利用して雛型文書から出力文書用の構造化文書を生成することを可能にする【解決手段】構造化文書の処理を行う構造化文書処理装置１において、非構造化文書などの情報を雛型文書と同一の文法及び言語に合わせた論理的な構造に変換する際に用いる変換情報を雛型文書から抽出する抽出部１３と、前記抽出部１３により抽出された変換情報に基づいて非構造化文書などの情報を前記雛型文書と同一の文法及び言語に合わせた論理的な構造に変換して雛型文書の一部と置き換える出力文書生成部１６と、を備える。【選択図】      図１
2005004460.tif 000002
【特許請求の範囲】
【請求項１】
構造化文書の処理を行う構造化文書処理装置において、
論理構造の雛型を記述した雛型文書から構造化されていない文書又は前記雛型文書と異なる文法或いは言語によって記述された文書の情報を前記雛型文書と同一の文法及び言語に合わせた論理的な構造に変換する際に用いる変換情報を抽出する抽出手段と、
前記抽出手段により抽出された前記変換情報に基づいて構造化されていない文書又は前記雛型文書と異なる文法或いは言語によって記述された文書の情報を前記雛型文書と同一の文法及び言語に合わせた論理的な構造に変換して前記雛型文書の一部と置き換える出力文書生成手段と、
を備えたことを特徴とする構造化文書処理装置。
【請求項２】
変換した内容に置き換える前記雛型文書の一部を予め定められた要素によって記述していることを特徴とする請求項１に記載の構造化文書処理装置。
【請求項３】
構造化文書の処理を行う構造化文書処理方法において、
論理構造の雛型を記述した雛型文書から構造化されていない文書又は前記雛型文書と異なる文法或いは言語によって記述された文書の情報を前記雛型文書と同一の文法及び言語に合わせた論理的な構造に変換する際に用いる変換情報を抽出するステップと、
抽出された前記変換情報に基づいて構造化されていない文書又は前記雛型文書と異なる文法或いは言語によって記述された文書の情報を前記雛型文書と同一の文法及び言語に合わせた論理的な構造に変換して前記雛型文書の一部と置き換えるステップと、
を有することを特徴とする構造化文書処理方法。
【請求項４】
構造化文書の処理を行うコンピュータを、
論理構造の雛型を記述した雛型文書から構造化されていない文書又は前記雛型文書と異なる文法或いは言語によって記述された文書の情報を前記雛型文書と同一の文法及び言語に合わせた論理的な構造に変換する際に用いる変換情報を抽出する抽出手段、及び
前記抽出手段により抽出された前記変換情報に基づいて構造化されていない文書又は前記雛型文書と異なる文法或いは言語によって記述された文書の情報を前記雛型文書と同一の文法及び言語に合わせた論理的な構造に変換して前記雛型文書の一部と置き換える出力文書生成手段
として機能させることを特徴とするプログラム。
【発明の詳細な説明】
【０００１】
【発明の属する技術分野】
本発明は、構造化文書の処理を行う構造化文書処理装置、構造化文書処理方法、及びプログラムに関する。
【０００２】
【従来の技術】
従来、ＸＭＬ（ｅＸｔｅｎｓｉｂｌｅ  Ｍａｒｋｕｐ  Ｌａｎｇｕａｇｅ）に代表される構造化文書の作成は、文書の論理構造を定義し、文書内容を定義された論理構造に当てはめることにより行われていた。この作業を効率的に行うために、構造化文書を作成するオーサリングツールなどが多種存在する。また、論理構造の雛形を記述した雛型文書を予め用意し、雛型文書中に論理的な一部を挿入又は置換することにより出力文書用の構造化文書を作成する方法がある（例えば、特許文献１参照。）。
【０００３】
【特許文献１】
特開平７−５６９２０号公報
【０００４】
【発明が解決しようとする課題】
しかし、雛型文書へ挿入又は置換する論理的な一部は、雛型文書と同一の文法及び言語で作成されている必要がある。例えば、ＸＨＴＭＬ（Ｅｘｔｅｎｓｉｂｌｅ  ＨｙｐｅｒＴｅｘｔ  Ｍａｒｋｕｐ  Ｌａｎｇｕａｇｅ）によって記述された雛型文書であれば挿入又は置換する内容はＸＨＴＭＬによって記述されている必要がある。従って、雛型文書へ挿入又は置換する内容が構造化文書により記述されていない場合や雛型文書と異なる文法又は言語により記述されている場合には、文書を作成することができないという問題があった。尚、構造化文書により記述されていない文書（非構造化文書）としては、例えば、画像データやプレーンテキストなどが挙げられる。
そこで、本発明は、構造化文書により記述されていない内容や雛型文書と異なる文法又は言語によって記述された内容を利用して雛型文書から出力文書用の構造化文書を生成することが可能な構造化文書処理装置、構造化文書処理方法、及びプログラムを提供することを目的とする。
【０００５】
【課題を解決するための手段】
上記目的を達成するために、本発明は、構造化文書の処理を行う構造化文書処理装置において、論理構造の雛型を記述した雛型文書から構造化されていない文書又は前記雛型文書と異なる文法或いは言語によって記述された文書の情報を前記雛型文書と同一の文法及び言語に合わせた論理的な構造に変換する際に用いる変換情報を抽出する抽出手段と、前記抽出手段により抽出された前記変換情報に基づいて構造化されていない文書又は前記雛型文書と異なる文法或いは言語によって記述された文書の情報を前記雛型文書と同一の文法及び言語に合わせた論理的な構造に変換して前記雛型文書の一部と置き換える出力文書生成手段と、を備えたことを特徴とする。
【０００６】
本発明によれば、抽出手段は雛型文書から変換情報を抽出する。そして、出力文書生成手段は、抽出された変換情報に基づいて構造化されていない文書又は雛型文書と異なる文法或いは言語によって記述された文書の情報を雛型文書と同一の文法及び言語に合わせた論理的な構造に変換して雛型文書の一部と置き換える。従って、構造化されていない文書又は雛型文書と異なる文法或いは言語によって記述された文書の情報を利用して雛型文書から出力文書用の構造化文書を生成することができる。
【０００７】
本発明において、変換した内容に置き換える前記雛型文書の一部を予め定められた要素によって記述していることを特徴とする。本発明によれば、変換した内容に置き換える雛型文書の一部を予め定められた要素で記述するため、雛型文書の一部を変換された内容に置き換える処理を簡易に行うことが可能になる。
【０００８】
また、本発明は、構造化文書の処理を行う構造化文書処理方法において、論理構造の雛型を記述した雛型文書から構造化されていない文書又は前記雛型文書と異なる文法或いは言語によって記述された文書の情報を前記雛型文書と同一の文法及び言語に合わせた論理的な構造に変換する際に用いる変換情報を抽出するステップと、抽出された前記変換情報に基づいて構造化されていない文書又は前記雛型文書と異なる文法或いは言語によって記述された文書の情報を前記雛型文書と同一の文法及び言語に合わせた論理的な構造に変換して前記雛型文書の一部と置き換える出力文書生成ステップと、を有することを特徴とする。
【０００９】
また、本発明は、構造化文書の処理を行うコンピュータを、論理構造の雛型を記述した雛型文書から構造化されていない文書又は前記雛型文書と異なる文法或いは言語によって記述された文書の情報を前記雛型文書と同一の文法及び言語に合わせた論理的な構造に変換する際に用いる変換情報を抽出する抽出手段、及び前記抽出手段により抽出された前記変換情報に基づいて構造化されていない文書又は前記雛型文書と異なる文法或いは言語によって記述された文書の情報を前記雛型文書と同一の文法及び言語に合わせた論理的な構造に変換して前記雛型文書の一部と置き換える出力文書生成手段として機能させることを特徴とするプログラムである。尚、このプログラムをコンピュータが読み取り可能な記録媒体に記録するように発明を構成してもよい。
【００１０】
【発明の実施の形態】
以下、本発明の好適な実施の形態について図面を参照しつつ説明する。
図１は、本発明の実施の形態における構造化文書処理装置の構成を示すブロック図である。構造化文書処理装置１は、処理指示部１１、雛型文書保持部１２、抽出部１３、管理部１４、設定部１５、及び出力文書生成部１６を備えている。
処理指示部１１は、構造化文書処理装置１における処理全体を制御するものであり、具体的には、雛型文書保持部１２、抽出部１３、設定部１５、及び出力文書生成部１６を制御する。
【００１１】
雛型文書保持部１２は、処理指示部１１に制御されて、出力文書用の構造化文書の雛型となる雛型文書を保持する。雛型文書には、非構造化文書又は雛型文書と異なる文法又は言語によって記述された構造化文書の情報を変換した変換内容に置き換える当該雛型文書の一部が予め定められた要素（以下、挿入・置換要素という。）によって記述されている。また、雛型文書には、非構造化文書又は雛型文書と異なる文法又は言語によって記述された構造化文書の情報を雛型文書と同一の文法及び言語に合わせた論理的な構造に変換する際に用いる変換情報（メタ情報）が記述されている。変換情報として、挿入又は置換する情報の型（例えば、ＪＰＥＧフォーマットやプレーンテキストなど）を含めることができる。また、挿入又は置換する情報に対する処理（例えば、画像サイズの調整など）の指定を含めることができる。ここで、雛型文書の一例を説明する。
【００１２】
図２は論理構造の雛型を記述した雛型文書の一例を示す図であり、この雛型文書はＸＨＴＭＬによって記述されたものである。
雛型文書において、＜ｏｂｊｅｃｔ＞要素で記述され、且つ、ｔｙｐｅ属性にａｐｐｌｉｃａｔｉｏｎ／ｔｅｍｐｌａｔｅ＋ｘｍｌと記述された論理的な一部を挿入・置換要素と定義する。
そして、ＸＨＴＭＬの仕様として、＜ｏｂｊｅｃｔ＞要素は子要素として＜ｐａｒａｍ＞要素を持つことができるため、＜ｐａｒａｍ＞要素を利用してメタ情報を記述することにしている。本実施の形態では、＜ｐａｒａｍ＞要素の書式を、＜ｐａｒａｍ  ｎａｍｅ＝”メタ情報名”ｔｙｐｅ＝”型”及び＜ｐａｒａｍ  ｎａｍｅ＝”メタ情報名”ｖａｌｕｅ＝”値”のいずれかによって定義する。
【００１３】
図２の雛型文書に用いられているメタ情報は次のように定義されているものとする。ｔｒａｎｓＴｙｐｅは、挿入又は置換する情報のコンテントタイプ（型）を定義する。ｏｂｊｅｃｔＮａｍｅは、挿入・置換要素を特定するための名前を定義する。ｗｉｄｔｈは、出力画像のサイズ幅を定義する。ｈｅｉｇｈｔは、出力画像のサイズ高さを定義する。
図２の雛型文書には、２つの挿入・置換要素２１、２２が含まれている。挿入・置換要素２１は、その名前がｐｉｃｔｕｒｅ１であり、「ＪＰＥＧフォーマットの画像を挿入又は置換し、その画像サイズを幅３０ｍｍ、高さ３０ｍｍとする」と定義している。また、挿入・置換要素２２は、その名前がｃｏｍｍｅｎｔ１であり、「プレーンテキストを挿入又は置換する」と定義している。
【００１４】
抽出部１３は、処理指示部１１の抽出指示により、雛型文書保持部１２から雛型文書を取得する。そして、抽出部１３は、取得した雛型文書を解析して挿入・置換要素を抽出し、さらにメタ情報を抽出する。例えば、図２に一例を示す雛型文書の場合には、挿入・置換要素であるｔｙｐｅ属性ａｐｐｌｉｃａｔｉｏｎ／ｔｅｍｐｌａｔｅ＋ｘｍｌを持つ＜ｏｂｊｅｃｔ＞要素を抽出し、さらに、メタ情報が記述された＜ｐａｒａｍ＞要素を抽出する。そして、抽出部１３は、抽出結果に基づいて挿入・置換要素ごとにメタ情報を関連付けて管理部１４の情報テーブルへ保管する（図４参照）。
管理部１４は、挿入・置換要素ごとにメタ情報を関連付けて情報テーブルに管理する（図４参照）。また、管理部１４は、挿入・置換要素ごとにユーザにより指定された非構造化文書又は雛型文書と異なる文法或いは言語によって記述された文書の情報（以下、文書情報という。）を情報テーブルに付加して管理する（図５参照）。
設定部１５は、処理指示部１１の設定指示により、ユーザにより指定された文書情報を管理部１４の情報テーブルに設定する（図５参照）。
【００１５】
出力文書生成部１６は、処理指示部１１の出力文書生成指示により、雛型文書保持部１２から雛型文書を取得するとともに、管理部１４により管理されているメタ情報及び文書情報を挿入・置換要素ごとに取得する。そして、出力文書生成部１６は、挿入・置換要素ごとに、メタ情報に基づいて文書情報（非構造化文書又は雛型文書と異なる文法或いは言語によって記述された文書の情報）を雛型文書と同一の文法及び言語に合わせた論理的な構造に変換する。さらに、出力文書生成部１６は、挿入・置換要素の名前（例えば、図２の場合にはｐｉｃｔｕｒｅ１やｃｏｍｍｅｎｔ１など）を基に、雛型文書中の挿入・置換要素を変換した論理的な構造に置き換えて出力文書用の構造化文書を生成する。そして、出力文書生成部１６は生成された出力文書用の構造化文書に基づいて出力文書をディスプレイや印刷媒体に出力する。但し、ｔｒａｎｓＴｙｐｅがｉｍａｇｅ／ｊｐｅｇであれば＜ｉｍｇ＞要素を利用し、ｔｅｘｔ／ｐｌａｉｎであれば＜ｄｉｖ＞要素を利用するなど、ｔｒａｎｓＴｙｐｅのコンテントタイプごとに利用する要素が予め決められており、出力文書生成部１６はｔｒａｎｓＴｙｐｅのコンテントタイプと利用する要素とを関連付けて管理している。
【００１６】
図３は、図１に構成を示した構造化文書処理装置によって行われる構造化処理動作を示すフローチャートである。尚、ユーザは雛型文書を構造化文書処理の開始時に指定し、文書情報を構造化文書処理の開始時やそれが必要になるまでの間に指定するものとする。
まず、処理指示部１１に制御されて、ユーザによって指示された雛型文書が雛型文書保持部１２に保持される（Ｓ１）。続いて、処理指示部１１は抽出部１３に対して雛型文書から挿入・置換要素とメタ情報とを抽出するように抽出指示を行う（Ｓ２）。さらに続いて、抽出部１３は雛型文書保持部１２から雛型文書を取得し、取得した雛型文書を解析して雛型文書から挿入・置換要素及びメタ情報を抽出する。そして、抽出部１３は抽出結果に基づいて挿入・置換要素ごとにメタ情報を管理部１４に保管する（Ｓ３）。例えば、図２に一例を示す雛型文書の場合には、抽出部１３は、ｔｙｐｅ属性ａｐｐｌｉｃａｔｉｏｎ／ｔｅｍｐｌａｔｅ＋ｘｍｌを持つ２つの＜ｏｂｊｅｃｔ＞要素を挿入・置換要素２１、２２として抽出する。さらに、抽出部１３は、挿入・置換要素２１の場合には、＜ｐａｒａｍ＞要素に基づいてメタ情報としてｉｍａｇｅ／ｊｐｅｇ、ｐｉｃｔｕｒｅ１、３０ｍｍ、３０ｍｍを抽出する。また、挿入・置換要素２２の場合には、＜ｐａｒａｍ＞要素に基づいてメタ情報としてｔｅｘｔ／ｐｌａｉｎ、ｃｏｍｍｅｎｔ１を抽出する。そして、抽出部１３は、管理部１４の情報テーブルに、挿入・置換要素２１、２２ごとに抽出したメタ情報を関連付けて格納する。この処理が行われた後の情報テーブルは図４に示された内容になる。
【００１７】
処理指示部１１は設定部１５に対して設定指示を行う（Ｓ４）。続いて、設定部１５は、管理部１４の情報テーブルから順に一つの挿入・置換要素を抽出する。そして、設定部１５は、ユーザによって指定された文書情報の型が抽出した挿入・置換要素のｔｒａｎｓＴｙｐｅに定義された型であるか否かを判定する（Ｓ５）。例えば、ｔｒａｎｓＴｙｐｅがｉｍｅｇｅ／ｊｐｅｇの場合、ＪＰＥＧフォーマットの画像であれば定義された型であると判定し、それ以外の文書情報（ＪＰＥＧフォーマット以外の画像やその他のデータ）であれば定義された型でないと判定する。また、ｔｒａｎｓＴｙｐｅがｔｅｘｔ／ｐｌａｉｎの場合、テキストであれば定義された型であると判定し、テキスト以外であれば定義された型でないと判定する。
【００１８】
定義された型であると判定された場合（Ｓ５：ＹＥＳ）、設定部１５はユーザによって指定された文書情報を管理部１４の情報テーブルに設定し（Ｓ６）、ステップＳ７の処理へ移行する。但し、画像の場合には設定する内容を画像のＵＲＩとする。一方、定義された型でないと判定された場合（Ｓ５：ＮＯ）、設定部１５はユーザによって指定された文書情報を管理部１４の情報テーブルに設定することなく、ステップＳ７の処理へ移行する。
【００１９】
設定部１５は、管理部１４の情報テーブルに管理されている全ての挿入・置換要素に対してステップＳ５の処理を行ったか否かを判定する（Ｓ７）。全ての挿入・置換要素に対して処理を行っていないと判定された場合には（Ｓ７：ＮＯ）、ステップＳ５の処理へ戻り、次の挿入・置換要素に対して処理を行う。一方、全ての挿入・置換要素に対して処理を行ったと判定された場合には（Ｓ７：ＹＥＳ）、ステップＳ８の処理へ移行する。
【００２０】
ここで、ステップＳ５〜ステップＳ７において行われる処理の一例を記す。但し、ステップＳ３において管理されることになった情報テーブルが図２に示すものであり、ｐｉｃｔｕｒｅ１、ｃｏｍｍｅｎｔ１の夫々の文書情報としてＵＲＩがｐｉｃｔｕｒｅ．ｊｐｇの画像、テキスト（写真です。）がユーザによって指定された場合とする。
ｏｂｊｅｃｔＮａｍｅがｐｉｃｔｕｒｅ１の挿入・置換要素が抽出され、文書情報の型がＪＰＥＧフォーマットであるためｔｒａｎｓＴｙｐｅに定義された型であると判定され（Ｓ５：ＹＥＳ）、情報テーブルのｐｉｃｔｕｒｅ１の文書情報に．／ｐｉｃｔｕｒｅ．ｊｐｇ（画像のＵＲＩ）を設定する（Ｓ６）。そして、まだ処理されていない挿入・置換要素があると判定される（Ｓ７：ＮＯ）。そして、ｏｂｊｅｃｔＮａｍｅがｃｏｍｍｅｎｔ１の挿入・置換要素が抽出され、文書情報の型がテキストであるためｔｒａｎｓＴｙｐｅに定義された型であると判定され（Ｓ５：ＹＥＳ）、情報テーブルのｃｏｍｍｅｎｔ１の文書情報に“写真です。”を設定する（Ｓ６）。そして、全ての挿入・置換要素に対して処理が行われたと判定される（Ｓ７：ＹＥＳ）。これらの処理が行われた後の情報テーブルは図５に示された内容になる。
【００２１】
処理指示部１１は出力文書生成部１６に対して出力文書生成指示を行う（Ｓ８）。続いて、出力文書生成部１６は管理部１４の情報テーブルから挿入・置換要素ごとにメタ情報及び文書情報を取得し、取得したメタ情報に基づいて文書情報を雛型文書と同一の文法及び言語に合わせた論理的な構造に変換する（Ｓ９）。例えば、図５の場合、出力文書生成部１６は、ｏｂｊｅｃｔＮａｍｅがｐｉｃｔｕｒｅ１である挿入・置換要素を、ｔｒａｎｓＴｙｐｅがｉｍａｇｅ／ｊｐｅｇであるため＜ｉｍｇ＞要素を利用して、＜ｉｍｇ  ｓｒｃ＝”．／ｐｉｃｔｕｒｅ．ｊｐｇ”  ｓｔｙｌｅ＝”ｗｉｄｔｈ：３０ｍｍ；ｈｅｉｇｈｔ：３０ｍｍ”  ／＞と構造化する。また、ｏｂｊｅｃｔＮａｍｅがｃｏｍｍｅｎｔ１である挿入・置換要素を、ｔｒａｎｓＴｙｐｅがｔｅｘｔ／ｐｌａｉｎであるため＜ｄｉｖ＞要素を利用して、＜ｄｉｖ  ｓｔｙｌｅ＝”ｄｉｓｐｌａｙ：ｉｎｌｉｎｅ”＞写真です。＜／ｄｉｖ＞と構造化する。
【００２２】
出力文書生成部１６は、雛型文書の挿入・置換要素である＜ｏｂｊｅｃｔ＞要素をステップＳ９で変換した論理的な構造に置き換えて出力文書用の構造化文書を生成する。そして、生成した構造化文書に基づいて出力文書をディスプレイや印刷媒体などに出力し（Ｓ１０）、図５の処理を終了する。
例えば、雛型文書が図２に示されたものであり、情報テーブルが図５に示されたものである場合には、図６に示すように、出力文書生成部１６は、雛型文書の挿入・置換要素２１を、変換により得られた論理的な構造（＜ｉｍｇ  ｓｒｃ＝”．／ｐｉｃｔｕｒｅ．ｊｐｇ”  ｓｔｙｌｅ＝”ｗｉｄｔｈ：３０ｍｍ；ｈｅｉｇｈｔ：３０ｍｍ”  ／＞）３１に置き換える。また、雛型文書の挿入・置換要素２２を、変換により得られた論理的な構造（＜ｄｉｖ  ｓｔｙｌｅ＝”ｄｉｓｐｌａｙ：ｉｎｌｉｎｅ”＞写真です。＜／ｄｉｖ＞）３２に置き換える。この処理が行われて雛形文書から図６の出力文書用の構造化文書が生成される。
【００２３】
以上説明した構造化文書処理装置１によれば、抽出部１３によって雛型文書からメタ情報が抽出される。そして、出力文書生成部１６によって、非構造化文書又は雛型文書と異なる文法或いは言語によって記述された文書の情報が、抽出されたメタ情報に基づいて、雛型文書と同一の文法及び言語によって記述された論理的な構造に変換され、挿入・置換要素に置き換えられる。従って、構造化されていない文書又は雛型文書と異なる文法或いは言語によって記述された文書を利用して雛型文書から出力文書用の構造化文書を生成することができる。
また、変換した内容に置き換える雛型文書の一部を予め定められた要素（挿入・置換要素）で記述しているため、雛型文書の一部を変換された内容に置き換える処理を簡易に行うことが可能になる。
【００２４】
尚、図１に示す処理指示部１１、雛型文書保持部１２、抽出部１３、管理部１４、設定部１５、及び出力文書生成部１６のそれぞれで実行される手順をコンピュータ読み取り可能な記録媒体に記録し、この記録媒体に記録されたプログラムをコンピュータシステムに読み込ませ、実行することにより本発明の構造化文書処理装置が実現されるようにしてもよい。ここでいうコンピュータシステムとは、ＯＳや周辺機器等のハードウェアを含むものである。
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【００２５】
以上、本発明の好適な実施の形態について説明したが、本発明は上述の実施の形態に限られるものではなく、特許請求の範囲に記載した限りにおいて様々な設計変更が可能なものになっている。
【図面の簡単な説明】
【図１】実施の形態の構造化文書処理装置の構成を示すブロック図。
【図２】論理構造の雛型を記述した雛型文書の一例を示す図。
【図３】構造化文書処理装置の処理動作を示すフローチャート。
【図４】情報テーブルの一例を示す図。
【図５】情報テーブルの一例を示す図。
【図６】構造化文書処理装置により作成される構造化文書の一例を示す図。
【符号の説明】
１  構造化文書処理装置、  １１  処理指示部、  １２  雛型文書保持部、  １３  抽出部、  １４  管理部、  １５  設定部、  １６  出力文書生成部
【図１】
2005004460.tif 000003
【図２】
2005004460.tif 000004
【図３】
2005004460.tif 000005
【図４】
2005004460.tif 000006
【図５】
2005004460.tif 000007
【図６】
2005004460.tif 000008